(57)【要約】【課題】生体情報の測定中においてはコネクタを介して機器本体に接続される生体装着部が外れにくく、生体装着部を取り外す際には、機器本体からコネクタを容易に取り外して、コネクタが外された後の機器本体におけるコネクタとの接続部分を保護できる。【解決手段】生体装着部を用いて生体情報を測定する医療用電子機器であって、生体装着部に設けられたコネクタが着脱可能に取り付けられるコネクタ装着部を有する機器本体と、コネクタの非装着時にコネクタ装着部を覆うように、機器本体に着脱自在に取り付けられるカバー部材と、を有し、機器本体は、コネクタの装着時にカバー部材の一部が差し込み可能な切欠部を有し、コネクタがコネクタ装着部に装着された際に、コネクタの係合部は、切欠部の内部に係合し、係合部の係合状態は、カバー部材の一部を切欠部に差し込むことにより解除される。【選択図】図２０
2020054492.tif 000002
【特許請求の範囲】
【請求項１】
生体装着部を用いて生体情報を測定する医療用電子機器であって、
前記生体装着部に設けられたコネクタが着脱可能に取り付けられるコネクタ装着部を有する機器本体と、
前記コネクタの非装着時に前記コネクタ装着部を覆うように、前記機器本体に着脱自在に取り付けられるカバー部材と、
を有し、
前記機器本体は、前記コネクタの装着時に前記カバー部材の一部が差し込み可能な切欠部を有し、
前記コネクタが前記コネクタ装着部に装着された際に、前記コネクタの係合部は、前記切欠部の内部に係合し、前記係合部の係合状態は、前記カバー部材の前記一部を前記切欠部に差し込むことにより解除される、
医療用電子機器。
【請求項２】
前記コネクタ装着部は、前記機器本体の一端面に設けられ、
前記カバー部材は、前記一端面を覆うように前記機器本体に取り付けられるカバー本体を有し、
前記カバー部材の一部は、前記カバー本体から突出して設けられ、前記一端面を挟むように前記機器本体の外面の一部に沿って配置されるアーム部である、
請求項１記載の医療用電子機器。
【発明の詳細な説明】
【技術分野】
【０００１】
本発明は、医療用電子機器に関し、特に電極等の生体装着部を用いて心電図等の生体情報を測定する医療用電子機器に関する。
【背景技術】
【０００２】
従来、安静時のみならず、運動中や日常生活中の生体情報、具体的には、心電図を取得する医療用電子機器として、例えば、特許文献１に示すようなホルタ心電計が知られている。ホルタ心電計は、携帯可能な心電計本体に接続された電極を体表面に取り付け、電極を介して心電計本体で、日常生活中の長期間連続した心電図を測定して記録する。
【先行技術文献】
【特許文献】
【０００３】
【特許文献１】特開２０１５−１３５７７４号公報
【発明の概要】
【発明が解決しようとする課題】
【０００４】
ところで、ホルタ心電計に用いられる電極としては、例えば、衛生上の観点から測定後取り外して廃棄できる使い捨てタイプの電極、所謂、ディスポ電極が知られている。
このディスポ電極は、一端部に電極部が実装されるフレキシブル基板によりなるリードの他端部を、心電計本体の筐体の一側面から直接挿入し、心電計本体に内蔵される基板のパターンに接続して固定することで心電計本体に接続される。
使用時には心電計本体に新しい電極を付け替える必要があるため、ホルタ心電計における電極の着脱は、医療従事者により容易に行うことができるとともに、日常生活を営む被検者の心電図の測定中では、電極が機器本体から容易に外れないことが望ましい。
また、未使用時の機器本体においては、電極と接続する部位、つまり、筐体の一側面においてリードの他端部が挿入される部位は、外部に露出しないように保護されていることが望ましい。
【０００５】
本発明は、以上の点を考慮してなされたものであり、生体情報の測定中においてはコネクタを介して機器本体に接続される生体装着部が外れにくく、生体装着部を取り外す際には、機器本体からコネクタを容易に取り外して、コネクタが外された後の機器本体におけるコネクタとの接続部分を保護できる医療用電子機器を提供する。
【課題を解決するための手段】
【０００６】
本発明の医療用電子機器は、生体装着部を用いて生体情報を測定する医療用電子機器であって、
前記生体装着部に設けられたコネクタが着脱可能に取り付けられるコネクタ装着部を有する機器本体と、
前記コネクタの非装着時に前記コネクタ装着部を覆うように、前記機器本体に着脱自在に取り付けられるカバー部材と、
を有し、
前記機器本体は、前記コネクタの装着時に前記カバー部材の一部が差し込み可能な切欠部を有し、
前記コネクタが前記コネクタ装着部に装着された際に、前記コネクタの係合部は、前記切欠部の内部に係合し、前記係合部の係合状態は、前記カバー部材の前記一部を前記切欠部に差し込むことにより解除される構成を採る。
【発明の効果】
【０００７】
本発明によれば、生体情報の測定中においてはコネクタを介して機器本体に接続される生体装着部が外れにくく、生体装着部を取り外す際には、機器本体からコネクタを容易に取り外して、コネクタが外された後の機器本体におけるコネクタとの接続部分を保護できる。
【図面の簡単な説明】
【０００８】
【図１】本発明の実施の形態に係る医療用電子機器の外観斜視図である。
【図２】本発明の実施の形態に係る医療用電子機器の平面図である。
【図３】本発明の実施の形態に係る医療用電子機器の正面図である。
【図４】本発明の実施の形態に係る医療用電子機器の背面図である。
【図５】本発明の実施の形態に係る医療用電子機器の左側面図である。
【図６】本発明の実施の形態に係る医療用電子機器の右側面図である。
【図７】本発明の実施の形態に係る医療用電子機器において筐体とコネクタとの係合状態を解除した平面図である。
【図８】図７のＡ−Ａ線矢視断面図である。
【図９】本発明の実施の形態に係る医療用電子機器において筐体から外したコネクタを示す図である。
【図１０】電池が載置されたコネクタの側面図である。
【図１１】コネクタを備える単回使用心電図用電極の斜視図である。
【図１２】コネクタを備える単回使用心電図用電極の平面図である。
【図１３】コネクタの要部構成を示す斜視図である。
【図１４】カバー部材を取り付けて保護された機器本体を示す外観斜視図である。
【図１５】カバー部材を取り付けて保護された機器本体を示す平面図である。
【図１６】カバー部材を取り付けて保護された機器本体を示す左側面図である。
【図１７】カバー部材を取り付けて保護された機器本体を示す右側面図である。
【図１８】カバー部材の正面図である。
【図１９】カバー部材の背面図である。
【図２０】図２０Ａ、図２０Ｂは、医療用電子機器においてカバー部材を用いて筐体とコネクタとの係合状態を解除する図である。
【図２１】図２１Ａ〜図２１Ｄは、切欠部からの係合爪部の抜脱動作を示す図である。
【発明を実施するための形態】
【０００９】
以下、本発明の実施の形態について、図面を参照して詳細に説明する。
【００１０】
本発明を適用可能な医療用電子機器は、生体装着部を用いて生体情報を測定する。医療用電子機器は、本実施の形態では、機器本体に、コネクタを介して生体装着部としての心電図用電極を接続して用いられる機器である。生体装着部は、被検者に装着して被検者の生体情報を取得するものであればどのようなものでもよく、パルスオキシメータ等であってもよい。また、医療用電子機器は携帯型の電子機器であることが好ましく、本実施の形態では、一例として、ホルタ心電計に適応したものとして説明するが、これに限らない。本発明に係る医療用電子機器は、生体装着部に接続されるコネクタが取り付けられる（装着される）装置であればどのように構成されてもよい。
【００１１】
図１〜図６は、本発明の実施の形態に係る医療用電子機器の外観斜視図、平面図、正面図、背面図、左側面図、右側面図である。また、図７は、本発明の実施の形態に係る医療用電子機器において筐体とコネクタとの係合状態を解除した平面図であり、図８は図７のＡ−Ａ線矢視断面図であり、図９は、本発明の実施の形態に係る医療用電子機器において筐体から外したコネクタを示す図であり、図１０は、電池が載置されたコネクタの側面図である。
【００１２】
本実施の形態のホルタ心電計としての医療用電子機器１は、カバー部材８０（図１４参照）を外した機器本体１０に、電極３０が導出されたコネクタ２０を取り付けて用いる。なお、本実施の形態のコネクタ２０は、電極３０と一体型の電極付きコネクタであり、使用後廃棄する単回使用心電図用電極、所謂、ディスポ電極（図１１及び図１２参照）として構成される。
【００１３】
医療用電子機器１の駆動源となる電池として例えば、ボタン型電池であり、特にボタン型電池のうち、―極側が凸状である平円盤状のコイン形電池であってもよい。本実施の形態の医療用電子機器１は、コイン型リチウム電池により駆動する。
【００１４】
具体的には、医療用電子機器１は、電池Ｂを配置したコネクタ２０を機器本体１０に取り付けることにより、機器本体１０に電池Ｂ（図７〜図９参照）から給電が可能となり、給電された機器本体１０が駆動するように構成されている。なお、電池Ｂは、本実施の形態では、使用後は電極３０とともに廃棄される単回使用の１次電池としているが、これに限らず、二次電池を用いて使用後、充電して再利用しても良い。
【００１５】
図１〜図９に示す医療用電子機器１は、機器本体１０と、機器本体１０に着脱可能に取り付けられるコネクタ２０と、ロック機構部５０と、カバー部材８０（図１４参照）とを有する。
【００１６】
＜機器本体１０＞
機器本体１０は、本実施の形態では、コネクタ２０を接続して、生体装着部としての電極３０を介して、被検者の生体情報としての心電図を測定する。
機器本体１０は、図１及び図７〜図９に示すように、中空の矩形平板状に形成された筐体１２を有する。筐体１２は、一端面１２ａ側で開口し、且つ、筐体１２の内部の収容部１１と連続する挿入口１３２（図８参照）を有する。なお、機器本体１０は、本実施の形態では、被検者が携帯可能にコンパクトに構成されている。
【００１７】
挿入口１３２に、コネクタ２０の電池収容部２４が挿入された状態で機器本体１０にコネクタ２０が取り付けられる。挿入口１３２は、本実施の形態では、機器本体１０の一端面１２ａから突出する矩形状のコネクタ装着部１３の先端で開口する。挿入口１３２は、コネクタ装着部１３にコネクタ２０のコネクタ本体２２が被さることにより覆われて閉塞される。これにより機器本体１０は、矩形平板状体を形成する（図１及び図２参照）。
【００１８】
機器本体１０は、コネクタ２０が取り付けられることにより、コネクタ２０に配置された電池Ｂから給電可能となり、給電されて駆動する。
【００１９】
機器本体１０は、図８に示すように、電池収容部２４を電池Ｂとともに収容する収容部１１と、コネクタ２０を介して電池Ｂ及び電極３０に接続される回路部１７とを有する。収容部１１は、挿入口１３２を介して挿入される電池収容部２４を収容する。回路部１７は、心電図を取得する動作を行うための回路である。回路部１７は、収容部１１内に配置される。回路部１７は、コネクタ２０が挿入された際に電池Ｂのプラス端子（極Ｂａ）に接続されるプラス端子接続部１７２と、電池Ｂのマイナス端子（極Ｂｂ）に接続されるマイナス端子接続部１７４と、電極３０の基端側の端子部（基端部）３２に接続される電極接続部（被端子部）１７６（図７参照）とを有する。
【００２０】
回路部１７には、機器本体１０の収容部１１内において、プラス端子接続部１７２及びマイナス端子接続部１７４が、挿入口１３２側に延出するように配置され、電池収容部２４とともに挿入される電池Ｂに接続可能である。電極接続部１７６は、収容部１１において電池収容部２４を収容する収容領域に隣接して配置され、コネクタ装着部１３において挿入口１３２に隣接する部位から突出して設けられている。
【００２１】
具体的には、プラス端子接続部１７２は、収容部１１内において筐体１２の表面部の裏面に沿ってコネクタ装着部１３の先端側に延出して配置されている。筐体１２内の収容部１１では、プラス端子接続部１７２の接点に対して、筐体１２の厚み方向で対向するように、マイナス端子接続部１７４の接点が配置されている。
【００２２】
これにより、機器本体１０にコネクタ２０が装着された際に、挿入口１３２を介して収容部１１内に挿入される電池収容部２４は、プラス端子接続部１７２とマイナス端子接続部１７４との間に侵入していき、電池収容部２４が保持する電池Ｂは、プラス端子接続部１７２及びマイナス端子接続部１７４により挟まれるように接触する。また同時に、つまり、機器本体１０にコネクタ２０が装着された際に、電池収容部２４が収容された領域に隣接する位置で、コネクタ２０により覆われた状態で機器本体１０側の電極接続部１７６が、電極３０の端子部３２に電気的に接続する。
【００２３】
なお、回路部１７には、表示部１４、医療用電子機器１を操作する操作部としてのイベントキー１５及びエンターキー１６等が実装されている。表示部１４は、表示面を筐体１２の表面部で外部に露出させて配置され、イベントキー１５及びエンターキー１６等の各機械的なスイッチは、筐体１２の側壁面及び前端壁面にそれぞれ押圧自在に配置されている。表示部１４は、実際の測定中の測定値を表示する。本実施の形態では、表示部１４は、コネクタ２０が装着されると同時に開始される生体情報の測定値を表示する。イベントキー１５は、測定中の生体情報（心電図）をマーキングする。例えば、測定中の被検者が違和感を感じたときにイベントキー１５を押圧して、違和感を感じたときの心電図にマーキングを行う。なお、イベントキー１５は、表示部１４に表示される表示形態或いは設定内容を変更してもよい。また、エンターキー１６は、イベントキー１５で選択された表示形態や設定内容を確定する等することで生体情報を表示したり、或いは記憶したりする。
【００２４】
ロック機構部５０は、機器本体１０とコネクタ２０との装着状態（取付状態）を保持する。ロック機構部５０は、コネクタ２０に設けられる係合部５２と、係合部５２に着脱可能に係合する被係合部５４とを有する。
【００２５】
被係合部５４は、コネクタ２０の係合部５２と係合して、機器本体１０にコネクタ２０が取り付けられた状態、つまり、機器本体１０の回路部１７と電池Ｂ及び電極３０とを接続した状態、を保持する。これにより、医療用電子機器１は、心電計として駆動可能になる。本実施の形態では、機器本体１０とコネクタ２０とを係合して機器本体１０へのコネクタ２０の取り付け状態を保持することにより、機器本体１０は、電池Ｂから給電可能に接続され、電池Ｂが機器本体１０側の回路部１７の電源となり、回路部１７は、電極３０を介して被検者の心電図を測定する。
【００２６】
本実施の形態では、係合部５２と被係合部５４とは、双方のうちの一方に他方が挿入することにより係合する。
【００２７】
被係合部５４は、挿入口１３２を有するコネクタ装着部１３を囲む開口周縁部のうち対向する２側壁部のそれぞれに設けられた凹状の切欠部５４１と、切欠部５４１内の窓部５４２とを有する。本実施の形態では、被係合部５４は、コネクタ装着部１３を囲む矩形状の開口周縁部の短辺側側壁部のそれぞれに設けられている。
被係合部５４は、コネクタ２０の係合部５２（係合爪部５２２）が挿入されて係脱可能に係合する。具体的には、被係合部５４の切欠部５４１は、機器本体１０のコネクタ装着部１３にコネクタが装着された際に、切欠部５４１の内部で、コネクタ２０の係合部５２の係合爪部５２２が、外部に露出された状態で係合する。
【００２８】
切欠部５４１は、筐体１２の外面に、挿入口１３２の開口方向、つまり、コネクタ２０の取付方向（装着方向）と交差するように延在して形成される。切欠部５４１は、コネクタ１０の装着時にカバー部材８０（図１４〜図２０参照）の一部であるアーム部８６が差し込み可能である。
【００２９】
切欠部５４１は、本実施の形態では、機器本体１０の両側壁部において一端面１２ａ側の端部に側方と上方（表面部側）とに開口する凹状に形成されている。切欠部５４１は、窓部５４２を介して筐体１２内外を連続させている。なお、切欠部５４１は、側方と上下方向（表面部側及び裏面部側）に開口した凹状に形成されてもよい。また、切欠部５４１が機器本体１０の両側壁部において延在する向きは、どのような向きでもよく、本実施形態では、コネクタ２０の取付方向と直交する方向に延在する向きである。
【００３０】
窓部５４２は、凹状の切欠部５４１の内部に設けられ、切欠部５４１の内部と挿入口１３２内とを連通する。
窓部５４２は、コネクタ２０の係合部５２としての係合爪部５２２が挿入され、挿入された係合爪部５２２は、挿入方向と交差する方向に弾性変形して窓部５４２（具体的には、窓部５４２の開口側の枠部５４３）に係合する。これにより、機器本体１０とコネクタ２０とが離間する方向、つまり、機器本体１０に対するコネクタ２０の抜脱方向（図５の矢印方向）への移動が規制される。
【００３１】
窓部５４２は、筐体１２において挿入口１３２を有する一端面１２ａ側において、両側壁部にそれぞれ設けられているので、これら窓部５４２に係合する係合爪部５２２は、切欠部５４１を介して機器本体１０の両側部外方に露出する。すなわち、窓部５４２を介して、コネクタ２０の係合爪部５２２が、中心側から挿入方向と直交する方向に張り出して窓部５４２に係合して、コネクタ２０は機器本体１０と係合し、コネクタ２０と機器本体１０との取付状態が確実に保持される。
【００３２】
＜コネクタ２０＞
コネクタ２０は、本実施の形態では、電極３０の基端部に設けられ、且つ、電池Ｂを収容している。コネクタ２０は、機器本体１０に取り付けられることにより機器本体１０（具体的には、機器本体１０内の回路部１７）に電極３０を接続し、且つ、機器本体１０に電池Ｂから医療用電子機器１である心電計に電源を供給して駆動可能となるように電気的に接続する。また、コネクタ２０は、本実施の形態では、機器本体１０に水密的に取り付けられる。
【００３３】
コネクタ２０は、コネクタ本体２２、ガイド部２３、電池収容部２４、短絡防止部２６、電極３０の端子部３２、係合部５２、チャネル指示部６１、防水部材７０、を有する。
【００３４】
コネクタ本体２２は、本実施の形態では、取付方向で開口する矩形ケース状体であり、矩形ケース状体内に、周壁部から間隔を空けて電池収容部２４と、端子部３２とが開口方向に突出して設けられている。コネクタ本体２２の開口縁部２２２と、電池収容部２４及び端子部３２とにより、機器本体１０の一端面１２ａ側で嵌合する嵌合部として機能する。
【００３５】
コネクタ本体２２は、コネクタ２０が機器本体１０に取り付けられた際に、機器本体１０の両側壁部と面一となる両側壁部に、係合部５２が設けられている。また、コネクタ本体２２には、開口縁部２２２の底面側から突出する板状のガイド部２３が設けられている。
【００３６】
係合部５２は、開口縁部２２２から、機器本体１０との取付方向に突出して設けられ、先端部に係合爪部５２２を有する。
【００３７】
係合部５２は、本実施の形態では、機器本体１０の筐体１２の両側壁の内側に沿って機器本体１０内に挿入する突出片として形成されている。係合爪部５２２は、係合部５２のそれぞれにおいて両側方に突出して設けられている。
【００３８】
係合爪部５２２は、本実施の形態では、係合部５２が機器本体１０の内側つまり筐体１２の内に弾性変形して挿入され、筐体１２の内側から窓部５４２に係合する。
【００３９】
ガイド部２３は、コネクタ本体２２を機器本体１０に取り付ける際のガイドとして機能する。具体的には、ガイド部２３は、機器本体１０の底面の外側に沿って配置されるものである。ガイド部２３は、コネクタ２０を機器本体１０に取り付ける際に、機器本体１０の底面を摺動し、コネクタ２０が機器本体１０に円滑に取り付けられるようにコネクタ２０を機器本体１０に案内する。
また、ガイド部２３は、機器本体１０とコネクタ２０の取付方向への相対移動による被係合部５４と係合部５２との係合を案内する。
【００４０】
防水部材７０は、開口縁部２２２にコネクタ２０の開口を囲むように配設されている。
防水部材７０は、機器本体１０にコネクタ２０を取り付けた際に、機器本体１０の開口縁部（一端面１２ａの開口縁部）とコネクタ２０の開口縁部２２２とにより挟まれて変形し、双方を水密的に接合する。
【００４１】
防水部材７０は環状の弾性体により形成される。防水部材７０は、可撓性を有する樹脂等の弾性材料により構成される。
【００４２】
防水部材７０は、本実施の形態では、コネクタ２０においてコネクタ本体２２の開口縁部２２２の全面に亘って配設されている。
【００４３】
具体的には、防水部材７０は、図９及び図１３に示すように、挿入口１３２を有するコネクタ装着部１３を囲む矩形の枠状部７２と、枠状部７２の角部からそれぞれ両側方に突出する突片部７４とを有する。
枠状部７２は、開口縁部２２２上で、コネクタ本体２２の開口を囲むように配置され、機器本体１０にコネクタ２０が取り付いた際に、コネクタ装着部１３の周囲、つまり、内部に電池収容部２４が挿入された挿入口１３２と、電極接続部１７６と端子部３２との接続部分との周囲を防水する。
【００４４】
枠状部７２は、内周部分７２２が外周部分７２４よりも突出するように段差が形成されている。内周部分７２２は、機器本体１０にコネクタ２０が取り付けられた際に、双方に押圧されて外周部分７２４との段差部分に逃げるように変形することにより、機器本体１０とコネクタ２０とを一層水密的に密着させ、防水性の向上が図られている。
【００４５】
突片部７４は、開口縁部２２２上において、厚み方向（上下方向）で係合部５２を挟むように配置されており、機器本体１０にコネクタ２０を取り付けた際に、厚み方向（上下方向）と直交する方向（コネクタ２０の取付方向）で筐体１２とコネクタ本体２２とに挟まれて変形する。これにより、筐体１２とコネクタ本体２２とは、取付方向と直交する位置で互いに接触する部位の全面で、双方をより水密的に密着させることができる。
【００４６】
これにより、開口縁部２２２で囲まれる医療用電子機器１の内部は、水密的に閉塞され、完全に密閉された状態となる。
【００４７】
電池収容部２４は、コネクタ２０が機器本体１０に取り付けられた際に、電池Ｂから機器本体１０へ給電可能となるよう機器本体１０に接続される。
電池収容部２４は、本実施の形態では、電池Ｂを、コネクタの取付方向に沿う面に、電池Ｂの極性がそれぞれ配置された状態で保持する。電池収容部２４は、本実施の形態では、図８〜図１０及び図１３に示すように、コネクタ本体２２の背面部（本実施の形態では、電極３０が外方に導出される面部）から取付方向に突設され、上側で窪む凹状のトレー部２４２を有する。トレー部２４２は、そのトレー部２４２の上方、本実施の形態では、機器本体１０の表面側で電池Ｂを載置する。トレー部２４２には、短絡防止部２６が設けられている。
【００４８】
電池収容部２４は、機器本体１０の挿入口１３２を介して機器本体１０内の収容部１１に挿入された際に、収容する電池Ｂのそれぞれの極Ｂａ、Ｂｂが、対応する機器本体１０側の極の端子（プラス端子接続部１７２及びマイナス端子接続部１７４）に接続されるように構成されている。
【００４９】
本実施の形態では、電池収容部２４は、電池Ｂが正しく載置された際、つまり、電池Ｂが、電池Ｂの極の向きを正しい向きで電池収容部２４に収容された際に、電池Ｂとともに挿入口１３２に取付方向で円滑に挿入可能に形成されている。本実施の形態では、トレー部２４２において、電池Ｂの凸状の極Ｂｂが底面側に向くように載置された状態が、電池Ｂが取付方向と略平行となるように構成されている。トレー部２４２は、電池Ｂの凸状の極Ｂｂが嵌るように、底面側に凹む凹状に形成されている。
また、本実施の形態では、トレー部２４２の基端側の縁部には、中央側より高くなるように、段差２７が設けられている。トレー部２４２上の電池Ｂは、トレー部２４２上で、トレー部２４２の先端側（挿入口１３２に挿入される際の先端となる部分）から基端側に向かって挿入され、電池Ｂの基端側の縁部が段差２７上に配置されて係合することによりトレー部２４２上に円滑に載置される。
段差２７は、電池Ｂの凸状の極Ｂｂをトレー部２４２の底面側に向けて、電池Ｂをトレー部２４２上に載置する際には、段差２７上に電池の縁部が挿入されて係合する。また、段差２７は、電池Ｂを、極Ｂｂとは反対側の極Ｂａをトレー部２４２の底面側に向けて、載置しようとする際には、電池Ｂの縁部に当接して、トレー部２４２に円滑に載置できない、つまり、電池収容部２４に電池Ｂを円滑に収容できない。このように、トレー部２４２では、電池形状に対応して形成された凹状部分と段差２７とが、電池Ｂを正しい向き（姿勢）での収容を可能にする電池Ｂの逆挿し防止部として機能する。
【００５０】
トレー部２４２の先端側、つまり自由端側の中央部には極用切欠部２４６が形成されている。この極用切欠部２４６は、トレー部２４２上の電池Ｂの一方の極、本実施の形態では、マイナス極Ｂｂをトレー部２４２の下方に露出させる。
【００５１】
電池収容部２４は、機器本体１０の内部に収容された状態では、プラス端子接続部１７２及びマイナス端子接続部１７４の間に配置され、マイナス端子接続部１７４は、極用切欠部２４６内に配置される。
【００５２】
短絡防止部２６は、電池Ｂを収容したコネクタ２０を機器本体１０に取り付ける際に、電池Ｂの極Ｂａ（Ｂｂ）と機器本体１０側の端子接続部１７２（１７４）とを正しく接続させて、短絡しないようにする。短絡防止部２６は、本実施の形態では、電池収容部２４を挿入口１３２内に挿入する際に、電池Ｂの極Ｂａと、極Ｂａに対応しないマイナス端子接続部１７４とが接続しないように設けられている。
【００５３】
短絡防止部２６は、トレー部２４２の先端側の縁部において、トレー部２４２の先端側の縁部の幅方向の中央部分で、極用切欠部２４６を仕切るように配置されている。また、短絡防止部２６は、収容する電池Ｂの表面側（上側であり、本実施の形態では、プラス極側）に突出するリブ状に形成されている。短絡防止部２６は、電池収容部２４が収容する電池Ｂの表面側の極（電池Ｂの表面とともにプラス極となる外周面）を先端側から覆うように配置されている。
【００５４】
また、コネクタ２０は、機器本体１０に嵌合して取り付けた際に、機器本体１０にコネクタ２０が装着されたことを識別するためのコネクタ装着確認部２９を有する。
【００５５】
コネクタ装着確認部２９は、本実施の形態では、コネクタ２０において機器本体１０に取り付けられる側の部位、例えば、電池収容部２４の先端部において挿入方向に突出する突起である。突起が、突起に対応して設けられた基板側の図示しない装着スイッチ部に接触することによって、回路部１７においてコネクタ２０の機器本体１０への装着を示す信号が出力され、電極３０の装着完了が確認される。
【００５６】
電極３０の端子部３２は、機器本体１０にコネクタ２０が取り付けられた際に、電極接続部１７６と電気的に接続し、電極３０を機器本体１０に連結する。
端子部３２は、コネクタ本体２２において、電池収容部２４に対して、挿入口１３２の長手方向である間口方向、つまり筐体１２の幅方向であり、本実施の形態では水平方向に隣接して設けられている。
【００５７】
端子部３２は、本実施の形態では、電池収容部２４に対して横方向で隣接して設けられる矩形ブロック状の接続ブロック２８内に配置され、開口縁部２２２の開口側で露出している。なお、接続ブロック２８は、本実施の形態では、コネクタ本体２２内において、背面から開口縁部２２２までの周壁部分の長さと同じ長さとなるように突設されている。端子部３２は、接続ブロック２８の突端面に設けられた複数の孔部内に配置され、コネクタ２０側の電極接続部１７６であり、且つ軸方向に進退自在に付勢されたピン状端子が挿入されることにより、ピン状端子と電気的に接続可能である。なお、端子部３２と電極接続部１７６とは、機器本体１０にコネクタ２０が取り付けられた際に電気的に接続する構成であれば、どのように構成されてもよい。端子部３２をピン状端子とし、電極接続部１７６を、ピン状端子である端子部３２に外嵌する筒状端子としてよい。
【００５８】
図９及び図１３に示すチャネル指示部６１は、コネクタ２０が機器本体１０に取り付けられた際に、機器本体１０に対して、医療用電子機器１が取得する心電図のチャネル数を指示する。
【００５９】
本実施の形態では、チャネル指示部６１は、挿入口１３２内に向かって突出する棒状体であり、取り外し可能に構成される。棒状体の有無により、指示するチャネル数を変更可能としている。本実施の形態では、機器本体１０側の回路部１７は、挿入口１３２を介して電池収容部２４が挿入されたときに、チャネル指示部６１に押圧されて、測定対象となる電極３０のチャネル数を２チャネルとして生体情報（心電図）を取得する回路に切り替えるスイッチ（図示しない）を有する。このスイッチは、チャネル指示部６１により押圧されない場合は、生体情報は、押圧される場合と異なるチャネル数での測定、本実施の形態では、３チャネルでの生体情報の測定を行うように構成されている。
【００６０】
すなわち、コネクタ２０側のチャネル指示部６１を無くすことにより回路部１７では、電極３０を用いて生体情報（心電図）を３チャネルで測定する。一方、コネクタ２０にチャネル指示部６１があれば、チャネル指示部６１により、基板のスイッチは押圧されて、基板は電極３０を用いて生体情報（主に心電計）を２チャネルでの測定するように変更する。
【００６１】
本実施の形態においてコネクタ２０が設けられる電極３０は、図１１及び図１２に示すように、コネクタ２０と一体型のコネクタ付き電極であり、上述したように、コネクタ２０とともに、使用後廃棄可能なディスポ電極である。
【００６２】
電極３０は、端子部３２（図１１参照）側の分岐部３３で、セパレータを介して粘着部とライナーとを有する取付面部３０ａに、コネクタ２０とともに固定されている。分岐部３３から誘導リード部３６が分岐しており、それぞれの誘導リード部３６の先端には電極部３４が接続されている。電極部３４は、セパレータを介して粘着部とライナーとを有する装着面部３０ｂに設けられ、装着面部３０ｂを各チャネルにおいて対応する所望の被検者の体表面の部位に貼着することにより、電極部３４は被検者に装着される。なお、本実施の形態の電極３０は、電極部３４の装着位置を変更することにより、生体情報の測定時のチャネル数を変更できる。
【００６３】
＜医療用電子機器１のカバー部材８０＞
図１４〜図１９は、医療用電子機器１において、コネクタ２０が外されてカバー部材８０を取り付けて保護された機器本体１０を示す図である。図１４〜図１７は、カバー部材８０を取り付けて保護された機器本体１０を示す外観斜視図、平面図、正面図、左側面図、右側面図である。また、図１８及び図１９は、カバー部材８０の正面図、背面図であり、図２０Ａ、図２０Ｂは、医療用電子機器１においてカバー部材８０を用いて筐体１２とコネクタ２０との係合状態を解除する図である。また、図２１Ａ〜２１Ｄは、切欠部５４１からの係合爪部５２２の抜脱動作を示す図である。
【００６４】
カバー部材８０は、コネクタの非装着時に機器本体１０の挿入口１３２を含むコネクタ装着部１３を被覆する機能とともに、図１から図１３に示すコネクタ２０を機器本体１０から分離する機能を有する。
【００６５】
図１４〜図１９に示すカバー部材８０は、コネクタ装着部１３（特に挿入口１３２）を覆うように、機器本体１０に着脱可能に取り付けて、コネクタ装着部１３を被覆して保護し機器本体１０を保管可能な状態にできる。カバー部材８０は、本実施の形態では、機器本体１０において、電極３０の端子部３２に接続される電極接続部（被端子部）１７６と、収容部１１内に連続し、電池収容部２４が挿入される挿入口１３２との双方を被覆して保護する。
【００６６】
カバー部材８０は、挿入口１３２を覆うカバー本体８２と、カバー本体８２の開口部８４側の両側部から機器本体１０への取付方向に突出して設けられ、機器本体１０の両側部を部分的に覆うように配置されるアーム部８６とを有する。
【００６７】
カバー本体８２は、一方に開口する開口部８４を有するケース状であり、開口部８４内には、機器本体１０の一端面１２ａ側のコネクタ装着部１３（図７参照）が挿入される。
カバー本体８２は、本実施の形態では、開口部８４に挿入されるコネクタ装着部１３と着脱自在に嵌合する。カバー本体８２は、開口部８４にコネクタ装着部１３が挿入してコネクタ装着部１３と嵌合する際に、開口部８４を囲む開口縁部８２２（図１６〜図１８参照）で機器本体１０の一端面１２ａに当接して、挿入方向への移動を規制する。開口部８４内には、図１８に示すように、開口部８４を囲む正面視矩形状の周壁部において横方向で離間する両側壁からリブ８２４が突出し、底壁部には、奥行き方向に延在する突条部８２６が設けられている。これらリブ８２４及び突条部８２６は、開口部８４内に挿入されるコネクタ装着部１３の外面と係合し、着脱可能な嵌合状態となる。なお、図１８では、カバー部材８０に嵌合した状態の機器本体１０の筐体１２を破線で示す。
【００６８】
アーム部８６は、機器本体１０に取り付けたコネクタ２０、つまり、機器本体１０に連結した状態の電極３０を外す機能を有する。アーム部８６は、切欠部５４１内に差し込み可能に形成され、切欠部５４１内に嵌まるように配置可能である。
アーム部８６は、切欠部５４１内に挿入して、切欠部５４１内に沿って移動することにより、窓部５４２と係合爪部５２２との係合状態を解除する機能を有する。また、アーム部８６は、カバー本体８２から突出して設けられる。アーム部８６は、本実施の形態では、カバー部材８０の開口部８４において長手方向で離間する角部から開口方向に突出して形成されている。
【００６９】
アーム部８６では、少なくとも先端部分が、機器本体１０の一端面１２ａ（図７及び図８参照）側において長手方向で離間する角部（一端面１２ａの底面と両側面部とからなる角部１２ｂ、１２ｃ）をそれぞれ被覆するように、断面Ｌ字状に形成されている。
【００７０】
なお、アーム部８６は、機器本体１０の角部１２ｂ、１２ｃを覆うような断面Ｌ字状で形成されているので、カバー部材８０をコネクタ装着部１３に装着する際のガイドになる。また、アーム部８６と、角部１２ｂ、１２ｃとを、取付方向と直交する２方向で係合するように構成して、機器本体１０の一端面１２ａと、カバー本体８２の開口部８４の開口縁部８２２とを当接した状態で保持するようにしてもよい。この場合、コネクタ装着部１３とともに挿入口１３２は、カバー本体８２内に収納され、保護された状態で支持される。なお、アーム部８６によるカバー部材８０と機器本体１０との係合状態は、カバー部材８０を機器本体１０から離間するように抜脱方向に移動するだけで双方の係合状態は解除される。
【００７１】
アーム部８６は、本実施の形態では、それぞれの全体を、コネクタ本体２２の開口方向に延在する一面部８６２と他面部８６４とによるＬ字状をなしている。機器本体１０の両側面を挟むように位置する他面部８６４間の長さは、筐体１２の横幅の長さに相当する。また、機器本体１０の底面側を覆う一面部８６２の幅（水平方向の長さ）が、切欠部５４１の深さ（水平方向の長さ）と略同じ或いは同じ長さとなるように構成され、一面部８６２の先端部が切欠部５４１内に差し込み可能に形成されている。
【００７２】
両側部のアーム部８６のそれぞれの一面部８６２は、先端側から基端側に向かって互いに近づくように傾斜した押圧部８６３を有する（図２１参照）。
【００７３】
この構成により、例えば、図２０Ａに示すように、コネクタ２０が係合して取り付けられた機器本体１０においてコネクタ２０を外す場合、機器本体１０から外した状態のカバー部材８０の両側部のアーム部８６の一面部８６２を、切欠部５４１内に、コネクタ２０の取付方向と直交する方向（ここでは表面側）から差し込む。なお、切欠部５４１内への一面部８６２の差し込み前の状態を図２１Ａ示す。また、一面部８６２の切欠部５４１への差し込み時において他面部８６４は、一面部８６２を切欠部５４１内に差し込む際のガイドとして機能する。すると、一面部８６２は、機器本体１０の窓部５４２に係合し、且つ、窓部５４２を介して切欠部５４１内で突出している係合爪部５２２を、窓部５４２から筐体１２の内側に押圧する。
【００７４】
すなわち、切欠部５４１内に差し込まれる一面部８６２は、差し込まれるにつれて、押圧部８６３が、切欠部５４１内の係合爪部５２２を、図２１Ｂに示すように、筐体１２の内側、つまり、窓部５４２の枠部５４３から外れる方向に押圧する。
【００７５】
そして、アーム部８６は、切欠部５４１内に一面部８６２が差し込まれた状態となる（図２０Ｂ参照）。このとき、一面部８６２は、切欠部５４１内から係合爪部５２２を図２１Ｃに示すように、係合爪部５２２を窓部５４２の枠部５４３から外れる方向に押圧して変形させ、切欠部５４１及び窓部５４２から離脱する方向に変位させる。このとき係合爪部５２２の変形に伴い、コネクタ２０は機器本体１０から抜ける方向に移動する。係合爪部５２２は弾性変形して、機器本体１０の内側に変位し、窓部５４２から外れ、コネクタ２０自体を機器本体１０から離脱させることができる。
【００７６】
このように、本実施の形態では、コネクタ２０がコネクタ装着部１３に装着された際に、コネクタ２０の係合部５２（係合爪部５２２）は、切欠部５４１の内部に係合し、係合部５２（係合爪部５２２）の係合状態は、カバー部材８０のアーム部８６を切欠部５４１に差し込むことにより解除される。
【００７７】
医療用電子機器１において、機器本体１０と、電極３０に設けられたコネクタ２０とは、機器本体１０の切欠部５４１内に位置するコネクタ２０側の係合爪部５２２との係合により接続した状態が保持されている。
この状態は、被検者が医療用電子機器１を通常に使用している状態であり、窓部５４２に係合する係合爪部５２２は切欠部５４１内に位置している。この状態では、切欠部５４１内に差し込み可能な治具を別途用意しなければ、被検者は窓部５４２から係合爪部５２２を外すことができない。これにより、医療用電子機器１の使用中において、機器本体１０からコネクタ２０が外れることを、つまり、電極３０が機器本体１０から外れることを防止している。
【００７８】
しかしながら、上述したように、カバー部材８０を用いることにより、機器本体１０からコネクタ２０、つまりは電極３０を容易に外すことができる。
よって、医療用電子機器１は使用中において機器本体１０から外れにくいコネクタ２０（電極３０）を、医療用電子機器１の使用後において、カバー部材８０を用いることで、機器本体１０から電極３０を容易に外して、機器本体１０に別の新しい電極を容易に取り付けて、新たに心電図の測定を開始することができる。よって、他の被検者の心電図の測定を安定して直ぐに始めることができる。
【００７９】
また、電極３０が外された機器本体１０の挿入口１３２を含む一端面１２ａのコネクタ装着部１３は、カバー部材８０により被覆可能である。
すなわち、機器本体１０にコネクタ２０を介して電極３０を連結して心電計として使用した後、機器本体１０を使用しない場合、カバー部材８０により、機器本体１０に連結するコネクタ２０を、機器本体１０から取り外すとともに、カバー部材８０自体をコネクタ装着部１３に嵌合することにより、機器本体１０におけるコネクタ２０（電極３０）との接続部分を保護することができる。
【００８０】
このように、本実施の形態の医療用電子機器１によれば、生体情報の測定中においては機器本体１０に接続される電極３０が外れにくく、電極３０を取り外す際には、機器本体１０から電極３０を容易に取り外して、機器本体１０において電極３０が外された後の電極３０との接続部分を容易に保護することができる。
【００８１】
なお、本実施の形態では、医療用電子機器として、ホルタ心電計を一例に挙げて説明したが、これに限らず、被検者の体表面、つまり、生体に装着して生体情報を測定するものであれば、どのような機器に適応してもよい。例えば、テレメータ、パルスオキシメーター等に適用してもよい。
【００８２】
以上、本発明の実施の形態について説明した。なお、以上の説明は本発明の好適な実施の形態の例証であり、本発明の範囲はこれに限定されない。つまり、上記装置の構成や各部分の形状についての説明は一例であり、本発明の範囲においてこれらの例に対する様々な変更や追加が可能であることは明らかである。
【産業上の利用可能性】
【００８３】
本発明に係る医療用電子機器は、生体情報の測定中においては機器本体に接続される電極が外れにくく、取り外す際には、機器本体から電極を容易に取り外して、電極が外された後の機器本体における電極との接続部分を保護できる効果を有し、例えば、ホルタ心電計に用いるものとして有用である。
【符号の説明】
【００８４】
１  医療用電子機器
１０  機器本体
１１  収容部
１２  筐体
１２ａ  一端面
１２ｂ、１２ｃ  角部
１３  コネクタ装着部
１３２  挿入口
１４  表示部
１５  イベントキー
１６  エンターキー
１７  回路部（測定部）
２０  コネクタ
２２  コネクタ本体
２３  ガイド部
２４  電池収容部
２６  短絡防止部
２７  段差
２８  接続ブロック
２９  コネクタ装着確認部
３０  電極
３０ａ  取付面部
３０ｂ  装着面部
３２  端子部（連結部）
３３  分岐部
３４  電極部
３６  誘導リード部
５０  ロック機構部
５２  係合部
５４  被係合部
６１  チャネル指示部
７０  防水部材
７２  枠状部
７４  突片部
８０  カバー部材
８２  カバー本体
８４  開口部
８６  アーム部（カバー部材の一部）
１７２  プラス端子接続部
１７４  マイナス端子接続部
１７６  電極接続部
２２２、８２２  開口縁部
２４２  トレー部
２４６  極用切欠部
５２２  係合爪部
５４１  切欠部
５４２  窓部
５４３  枠部
７２２  内周部分
７２４  外周部分
８２４  リブ
８２６  突条部
８６２  一面部
８６３  押圧部
８６４  他面部
Ｂ  電池
【図１】
2020054492.tif 000003
【図２】
2020054492.tif 000004
【図３】
2020054492.tif 000005
【図４】
2020054492.tif 000006
【図５】
2020054492.tif 000007
【図６】
2020054492.tif 000008
【図７】
2020054492.tif 000009
【図８】
2020054492.tif 000010
【図９】
2020054492.tif 000011
【図１０】
2020054492.tif 000012
【図１１】
2020054492.tif 000013
【図１２】
2020054492.tif 000014
【図１３】
2020054492.tif 000015
【図１４】
2020054492.tif 000016
【図１５】
2020054492.tif 000017
【図１６】
2020054492.tif 000018
【図１７】
2020054492.tif 000019
【図１８】
2020054492.tif 000020
【図１９】
2020054492.tif 000021
【図２０】
2020054492.tif 000022
【図２１】
2020054492.tif 000023